(57)【特許請求の範囲】
【請求項１】
本体内にモータが内蔵され、該モータによって駆動される少なくとも１つの回転軸を有しており、該回転軸は前記本体に回転可能に軸受けされているか又はこの本体に結合された外筒体に軸受けされていて、回転軸の端部に食品を加工するための加工具が装着され、回転軸を軸受けするために回転軸の端部方向に延びる本体又は外筒体の端部に前記加工具を囲む複数の爪部を有する保護キャップが設けられているハンドミキサーにおいて、爪部の長さ方向に対して垂直に切った爪部断面は三角形を基礎とした形状であり、したがって前記爪部はその三角形の底辺である外周面から回転軸の中心線方向に行くに従って横方向の幅が徐々に狭くなるように形成され、爪部の下部の内面は下端に行くに従って外周面に近づくように傾斜し、爪部の外周面は下端に行くまで傾斜していないことを特徴とするハンドミキサー。
【請求項２】
前記爪部の外周面は回転軸と同心円の円弧をなしている請求項１記載のハンドミキサー。
【発明の詳細な説明】
【技術分野】
【０００１】
本発明は、主に一般家庭で使用されるハンドミキサーに関する。
【背景技術】
【０００２】
モータによって駆動される回転軸を有し、回転軸を軸受けするために回転軸の端部方向に延びるハンドミキサー本体又は外筒体の端部に円形の保護キャップが装着され、食品を粉砕等する加工具を囲む複数の爪部が保護キャップに設けられたハンドミキサーは従来から存在している（例えば、特許文献１参照。）。
【特許文献１】特開平７−６７７９４号公報（図１）
【発明の開示】
【発明が解決しようとする課題】
【０００３】
保護キャップの爪部は、例えばコップの中に入れられた水と果物片を攪拌してジュースをつくるときに、爪部をコップの底に当てることによって攪拌羽根などの加工具を浮かせた状態に保つためのものである。他の用途としては、攪拌専用の容器を用いて食品を粉砕するときに、容器が回転することを防止するために容器の上蓋に爪孔を設け、その爪孔に爪部を挿し込んで攪拌時に容器が回転することを防止するために使用される。
【０００４】
保護キャップに設けられた従来の爪部は、上記文献に表示されたように同じ厚みの板状に形成されており、攪拌中の果物片などの流れに対して垂直面をなしている。したがって、攪拌羽根の外側にある果物片は流れが悪くなり十分に粉砕されないという不都合を生じるのである。
【０００５】
また、前述したように攪拌専用の容器を使用するときは爪部を上蓋の爪孔に挿し込むのであるが、爪部および爪孔は通常４つあるのでそれらを同時に挿入しなければならない。爪部を爪孔に挿入するときは、爪部の外周面を見ながら、その外周面が接する爪孔の内面に爪部の外周面を宛がって挿入すると作業が円滑である。しかし、従来品の爪部の下部の外周面は下端に行くに従って内部方向に近づくように傾斜している。したがって、爪部を爪孔に挿入するときに、爪部の外周面を見ながら爪孔の内面に外周面を宛がって挿入するときに、外周面が傾斜しているので、その宛がったときに保護キャップは容器の上蓋からずれてしまうのである。そのために、すべての爪部を同時に爪孔に挿入できないから作業に手間取るのである。
【０００６】
そこで本発明は、水と果物片などを粉砕攪拌する際に果物片が満遍なく粉砕することができ、粉砕専用の容器を用いる際に爪部を上蓋に挿入する作業が容易に行なえるハンドミキサーを提供することを目的とする。
【課題を解決するための手段】
【０００７】
本発明の請求項１は、本体内にモータが内蔵され、該モータによって駆動される少なくとも１つの回転軸を有しており、該回転軸は前記本体に回転可能に軸受けされているか又はこの本体に結合された外筒体に軸受けされていて、回転軸の端部に食品を加工するための加工具が装着され、回転軸を軸受けするために回転軸の端部方向に延びる本体又は外筒体の端部に前記加工具を囲む複数の同形で等間隔の爪部を有する保護キャップが設けられているハンドミキサーにおいて、爪部の長さ方向に対して垂直に切った爪部断面は三角形を基礎とした形状であり、したがって前記爪部はその三角形の底辺である外周面から回転軸の中心線方向に行くに従って横方向の幅が徐々に狭くなるように形成され、爪部の下部の内面は下端に行くに従って外周面に近づくように傾斜し、爪部の外周面は下端に行くまで傾斜していない構成である。
【０００８】
請求項２は、爪部の外周面が回転軸と同心円の円弧をなしている構成である。
【発明の効果】
【０００９】
本発明の第一の特徴は、爪部断面が三角形を基礎とした形状であり、爪部の下部の内面は下端に行くに従って外周面に近づくように傾斜する傾斜面に形成され、爪部の外周面は下端に行くまで傾斜していない構成である。この構成により、爪部の下端を薄めにして粉砕専用の容器の上蓋の爪孔に挿入し易くすることができる。そして爪部の内面を傾斜面にして薄めに形成したので、爪部の外周面は傾斜面に形成する必要がない。したがって、爪部を爪孔に挿入するときに、爪部の外周面を見ながらその外周面が接する爪孔の内面に外周面を宛がったときに、上蓋に対する保護キャップの位置が整合するので、手間をかけることなくすべての爪部を爪孔に同時に挿入することができる。
【００１０】
本発明の第二の特徴は、爪部の外周面が回転軸と同心円の円弧をなしているから、爪部の外周面に外接する別体の附属品である筒状のカバーを装着する場合にその装着作業を円滑に行なうことができる。
【発明を実施するための最良の形態】
【００１１】
次に本発明を実施するための最良の形態について説明する。ハンドミキサー１の本体２は細長く形成され、モータが内蔵されている。本体２の先端から外筒体３が延びており、図２に示すようにモータによって回転する回転軸４が外筒体３の内部を通って外筒体３から突出している。図１及び図４に示すように本体２の上部はその両側面から背面にかけて細く絞られた形状に形成され、その部分が把持部５である。図１に示すように把持部５の正面には２つのスイッチ６，７が設けられている。スイッチ６，７を押さない状態ではモータは回転しない。スイッチ６を押すと回転軸４が低速回転し、スイッチ７を押すと回転軸が高速回転するように構成されている。なお、図示しないが本体２の背面の上端からは電気コードが延びて１００Ｖの交流電気を使用することができる。
【００１２】
外筒体３はパイプ状の金属で形成されており、その端部に金属で形成された円形傘状の保護キャップ８が設けられている。保護キャップ８の外周付近の下面には下向きの爪部９が３つ設けられている。これらの爪部９はすべて同形で等間隔に設けられているので、保護キャップ８の中心から各爪部に引いた各半径線のなす角度はすべて１２０度である。爪部９は保護キャップ８に溶接で固着されるものでもよく、他の固着方法でもよく、あるいは一体に形成してもよい。さらに、保護キャップ８の外周には全周に亘って下向きの突部が一体に設けられている。
【００１３】
図３に示したように、爪部９の断面の外周１０は保護キャップの外周１２と同心円の円弧をなしている。また、爪部９の断面形状はその外周１０を底辺とする二等辺三角形１１を基礎とした形状であって、各角は丸みを帯びている。基礎となる二等辺三角形１１はその頂角αがほぼ７３度であって６０度よりも大きい。したがって、爪部の断面は周方向に長手に形成されている。また、爪部の内面１３、１３は内側に凹の弧状をなすように形成されている。
【００１４】
図２及び図６に示すように、爪部９の下部の内面は下端に行くに従って外周面に近づくように傾斜する傾斜面１４に形成されている。また、図１及び図２に示すように、爪部９をその外周１０側から見た爪部の端縁１５は、爪部９の長さ方向の外側縁１６，１６と滑らかにつながった円弧状に形成されている。これにより、爪部９の先端は滑らかな先細りとなって、粉砕容器の上蓋１７に設けた爪孔１８への挿入が容易となる。
【００１５】
回転軸４の中心線から水平に爪部９に引いた最短距離が２１ｍｍとなるように爪部９は設けられている。したがって、すべての爪部９に内接する円はかなり大きくなるので、果物片や氷を細かく砕いてから粉砕する必要がなく、手間がかからない。なお、本発明が２１ｍｍの数値に限定されないことは勿論であり、好ましくは２０ｍｍ以上であるが２０ｍｍよりも小さな数値であっても差し支えない。
【００１６】
また、加工具の回転羽根１９が回転するときに、回転羽根１９と爪部９の間の最小距離が５ｍｍになるように爪部９は設けられている。したがって、回転羽根１９の回転域が爪部９にかなり接近しているので、爪部の内面１３に当たった果物片がすぐに回転羽根１９によって粉砕されるので効率的である。なお、本発明が５ｍｍに限定されないことは勿論であり、好ましくは５ｍｍ以下であるが５ｍｍよりも大きな数値であっても差し支えない。
【００１７】
次に本発明の使用方法について説明する。図１は、前述した粉砕容器２０を用いない場合の加工具の装着状態を示している。加工具は軸部２７の端部に回転羽根１９を固着したものであり、回転軸４を軸部２７に挿入することにより加工具が装着される。このように加工具を取り付けてから、果物片と氷などを入れたコップのなかにハンドミキサーの先の部分を差し入れる。そして、爪部９をコップの底に宛がってからスイッチ６又はスイッチ７を押して回転羽根９を回転し果物片を粉砕してジュースをつくる。
【００１８】
茶葉などを粉状に粉砕するときには、図４及び図６に示した粉砕容器２０を使用する。粉砕容器２０は容器本体２１と中蓋２２と上蓋１７とから成る。また、図６で示すように容器本体２１は外部材２８と内部材２９を重ね合わせて結合装置３０，３１で結合した二重構造である。容器本体２１の中に中蓋２２を入れて狭い粉砕空間２３を画定し、さらに上蓋１７を被せる。中蓋２２は不可欠なものではなく、それを使用しないで粉砕することもできる。粉砕容器２０の内部には軸部２４の先端に粉砕羽根２５を設けた加工具が取り付けられている。上蓋１７の上方にハンドミキサー１を立て、爪部９を爪孔１８に挿入すると同時に回転軸４を中心孔２６に挿通して軸部２４と結合する。茶葉をあらかじめ粉砕空間２３に入れておき、モータで回転軸４を回転することによって粉砕羽根２５を回転させて茶葉を粉砕する。
【図面の簡単な説明】
【００１９】
【図１】本発明の正面図
【図２】保護キャップと爪部の斜視図
【図３】爪部の断面図
【図４】爪部を上蓋に差し入れた状態を示す側面図
【図５】上蓋の平面図
【図６】粉砕する状態を示す断面図
【符号の説明】
【００２０】
１  ハンドミキサー
２  本体
３  外筒部
４  回転軸
５  把持部
６  スイッチ
７  スイッチ
８  保護キャップ
９  爪部
１０  外周
１１  二等辺三角形
１２  保護キャップの外周
１３  爪部の内面
１４  傾斜面
１５  端縁
１６  外側縁
１７  上蓋
１８  爪孔
１９  回転羽根
２０  粉砕容器
２１  容器本体
２２  中蓋
２３  粉砕空間
２４  軸部
２５  粉砕羽根
２６  中心穴
２７  軸部
２８  外部材
２９  内部材
３０  結合装置
３１  結合装置
【図１】
0004072478.tif 000002
【図２】
0004072478.tif 000003
【図３】
0004072478.tif 000004
【図４】
0004072478.tif 000005
【図５】
0004072478.tif 000006
【図６】
0004072478.tif 000007